(57)【要約】【課題】  優れた耐剥離性，導電性，及び耐熱性を併せ持つ転がり軸受を提供する。【解決手段】  転がり軸受は、内輪１と、外輪２と、内輪１及び外輪２の間に転動自在に配置された複数の玉３と、内輪１及び外輪２の間に介在され、内輪１の外周面と外輪２の内周面との間の開口部分をほぼ覆うシール５，５と、を備えている。この転がり軸受は保持器を有しておらず、内輪１及び外輪２により玉３を保持する総玉軸受である。  また、内輪１及び外輪２の間に形成され玉３が配置された軸受内部空間には、グリース組成物６が配されており、シール５，５により転がり軸受内部に密封されている。このグリース組成物６は、フッ素油を基油として含有し、カーボンブラックを増ちょう剤として含有している。【選択図】  図１
2006083932.tif 000002
【特許請求の範囲】
【請求項１】
内輪と、外輪と、前記内輪及び前記外輪の間に転動自在に配置された複数の転動体と、を備える転がり軸受において、
総転動体軸受であるとともに、フッ素油及びカーボンブラックを含有する潤滑剤が、前記内輪及び前記外輪の間に形成され前記転動体が配置された軸受内部空間に配されていることを特徴とする転がり軸受。
【発明の詳細な説明】
【技術分野】
【０００１】
本発明は総転動体軸受に関する。
【背景技術】
【０００２】
事務機器，情報機器，発券機等の回転支持部には転がり軸受が使用されているが、このような転がり軸受には下記のような３つの性能が求められる。
（１）耐剥離性：複写機のヒートローラ部を支持する転がり軸受は、複写機の省スペース化，コンパクト化のため、一般の転がり軸受と比べて外径の小さいもの（内径は同じ）が使用される傾向にある。そのため、転動体の直径が小さくなるので、転がり軸受の負荷容量が低下することとなる。また、複写機のヒートローラ部に使用される転がり軸受は、一般の転がり軸受と比べて約２倍の荷重が負荷され（面圧は２９４ｋＰａにもなる）、非常に厳しい荷重条件下で使用される。よって、このような転がり軸受は、剥離が発生しやすいので、優れた耐剥離性が要求される。
【０００３】
（２）導電性：複写機の機能上、ヒートローラ部には静電気が発生するので、ヒートローラ部から静電気を除去するために、ヒートローラ部を支持する転がり軸受には導電性が要求される。
（３）耐熱性：複写機のヒートローラ部の温度は、２００℃前後の高温となる場合があるので、ヒートローラ部を支持する転がり軸受には耐熱性が要求される。
【０００４】
上記（２）及び（３）の要求を満たすために、転がり軸受に使用する潤滑剤を耐熱性に優れたフッ素系潤滑剤とし、導電ブラシを用いて静電気を除去するという方法が取られていた。また、カーボンブラックを含有して導電性を有する潤滑剤を使用することにより、転がり軸受に導電性を付与する方法も取られていた。
【特許文献１】特開２００２−２５０３５３号公報
【発明の開示】
【発明が解決しようとする課題】
【０００５】
前述の導電性を有する潤滑剤を使用することによっても、転がり軸受に導電性を付与することはできるが、より導電性に優れた転がり軸受が望まれている。また、前述の（１）の要求も同時に満たす転がり軸受が望まれている。
そこで、本発明は上記のような従来技術が有する問題点を解決し、優れた耐剥離性，導電性，及び耐熱性を併せ持つ転がり軸受を提供することを課題とする。
【課題を解決するための手段】
【０００６】
前記課題を解決するため、本発明は次のような構成からなる。すなわち、本発明に係る転がり軸受は、内輪と、外輪と、前記内輪及び前記外輪の間に転動自在に配置された複数の転動体と、を備える転がり軸受において、総転動体軸受であるとともに、フッ素油及びカーボンブラックを含有する潤滑剤が、前記内輪及び前記外輪の間に形成され前記転動体が配置された軸受内部空間に配されていることを特徴とする。
【０００７】
総転動体軸受は保持器を有しておらず、内輪及び外輪により転動体を保持する転がり軸受である。このような総転動体軸受は、保持器を有している転がり軸受と比べて転動体数が多く、それにより負荷容量が高まるため、耐剥離性が優れている。また、カーボンブラックの作用により導電性を有する潤滑剤を備えていることに加えて、総転動体軸受は転動体と軌道面との接触面積が大きいので、導電性が優れている。さらに、耐熱性に優れるフッ素油を潤滑剤の基油として用いたので、耐熱性が優れている。
【発明の効果】
【０００８】
本発明の転がり軸受は、耐剥離性，導電性，及び耐熱性に優れている。
【発明を実施するための最良の形態】
【０００９】
本発明に係る転がり軸受の実施の形態を、図面を参照しながら詳細に説明する。図１は、本発明の一実施形態である総玉軸受の構造を示す部分縦断面図である。
図１の転がり軸受は、内輪１と、外輪２と、内輪１及び外輪２の間に転動自在に配置された複数の玉３と、内輪１及び外輪２の間に介在され、内輪１の外周面と外輪２の内周面との間の開口部分を覆うシール５，５と、を備えている。この転がり軸受は保持器を有しておらず、内輪１及び外輪２により玉３を保持する総玉軸受である。
【００１０】
また、内輪１及び外輪２の間に形成され玉３が配置された軸受内部空間には、グリース組成物６が配されており、シール５，５により転がり軸受内部に密封されている。このグリース組成物６は、フッ素油を基油として含有し、カーボンブラックを増ちょう剤として含有している。
このような転がり軸受は、保持器を有している転がり軸受と比べて転動体数が約２倍であり、それにより負荷容量が約２倍に高まるため、耐剥離性が優れている。また、カーボンブラックの作用によりグリース組成物６が導電性を有しているいることに加えて、総転動体軸受は転動体と軌道面との接触面積が大きいので、導電性が優れている。さらに、耐熱性に優れるフッ素油を基油としたので、グリース組成物６は耐熱性が優れている。よって、この転がり軸受は耐熱性が優れており、２００℃前後の高温下においても使用可能である。
【００１１】
図１の転がり軸受は上記のような優れた性能を有しているので、例えば事務機器（複写機，レーザービームプリンタ等），情報機器，発券機における回転支持部に好適に使用可能である。複写機のヒートローラ部の回転速度は通常は１００ｍｉｎ-1以下であるので、総転動体軸受でも問題なく使用可能である。
なお、本実施形態は本発明の一例を示したものであって、本発明は本実施形態に限定されるものではない。例えば、グリース組成物６には、増ちょう剤と導電性付与剤とを兼ねてカーボンブラックを添加したが、金属石けん等の他の増ちょう剤を併用してもよい。また、酸化防止剤，防錆剤，極圧剤等の、潤滑剤に使用される一般的な添加剤を、グリース組成物６に添加しても差し支えない。
【００１２】
さらに、カーボンブラックの種類は特に限定されるものではなく、転がり軸受に導電性を付与できれば、一般的なカーボンブラックを問題なく使用できる。さらにまた、フッ素油の種類も特に限定されるものではなく、例としてはパーフルオロポリエーテル油があげられる。
さらに、本実施形態においては、転がり軸受の例として総玉軸受をあげて説明したが、本発明は総ころ軸受に対しても適用することができる。
【００１３】
〔実施例〕
以下に、実施例を示して本発明をさらに具体的に説明する。図１の転がり軸受と同様の構成の転がり軸受（総玉軸受）を用意して回転試験を行い、剥離発生の有無を評価した。なお、保持器を有することを除いては図１の転がり軸受とほぼ同様の構成の転がり軸受（以降は通常軸受と記すこともある）を比較例として用意して、同様の評価を行った。
【００１４】
いずれの転がり軸受も、内径２５ｍｍ、外径３２ｍｍ、幅７ｍｍ、玉の直径１．５８８ｍｍである。また、転動体の数は、実施例の転がり軸受の場合は５５個、比較例の転がり軸受の場合は２１個であり、基本動定格荷重は、実施例の転がり軸受の場合は１７６０Ｎ、比較例の転がり軸受の場合は８５５Ｎである。
回転速度１５０ｍｉｎ-1、ラジアル荷重９８Ｎ、雰囲気温度１５０℃、試験時間１００時間の条件で、両転がり軸受の回転試験を行ったところ、比較例である通常軸受は軌道面に剥離が発生したのに対して、実施例である総玉軸受は軌道面に剥離は発生しなかった。
【００１５】
次に、前述の実施例及び比較例の転がり軸受において、封入されているグリース組成物を、基油がフッ素油で増ちょう剤がカーボンブラックである導電性グリース組成物から、基油が合成炭化水素油で増ちょう剤がリチウム石けんである導電性を有していない通常のグリース組成物に変更した軸受を用意した。そして、４種の転がり軸受について、抵抗値の測定と、前述と同様の剥離発生の有無の評価とを行った。結果を表１に示す。
【００１６】
【表１】
2006083932.tif 000003
【００１７】
実施例の転がり軸受は、総玉軸受であることに加えて導電性グリース組成物が封入されているので、優れた導電性を示した。また、総玉軸受であるので優れた耐剥離性を有していて、剥離は発生しなかった。
これに対して、比較例３の転がり軸受は、総玉軸受ではなく通常軸受であることに加えて、導電性を有していない通常のグリース組成物が封入されているので、導電性が劣っていた。また、総玉軸受ではなく通常軸受であるため、剥離が発生した。
【００１８】
また、比較例１の転がり軸受は、総玉軸受であるため剥離は発生しなかったが、導電性を有していない通常のグリース組成物が封入されているので、導電性は不十分であった。ただし、総玉軸受であるため、比較例３の転がり軸受と比べると導電性は高かった。さらに、比較例２の転がり軸受は、導電性グリース組成物が封入されているので、優れた導電性を示したが、総玉軸受ではなく通常軸受であるため、剥離が発生した。ただし、総玉軸受ではないため、実施例の転がり軸受と比べると導電性は若干低かった。
【産業上の利用可能性】
【００１９】
本発明は、例えば事務機器（複写機，レーザービームプリンタ等），情報機器，発券機における回転支持部に好適に使用可能である。
【図面の簡単な説明】
【００２０】
【図１】本発明の一実施形態である総玉軸受の構造を示す部分縦断面図である。
【符号の説明】
【００２１】
１      内輪
２      外輪
３      玉
６      グリース組成物
【図１】
2006083932.tif 000004